(57)【要約】【課題】ワイヤハーネスとの間の隙間を抑制して、該ワイヤハーネスの保持力を向上できるワイヤハーネス固定部材と該ワイヤハーネス固定部材を備えた電気接続箱を提供する。【解決手段】電気接続箱１は箱本体とワイヤハーネス固定部材としての電線固定片９を備えている。箱本体にはワイヤハーネス７の端末が取り付けられる。電線固定片９は箱本体に一体に形成されている。電線固定片９は平板状の平板部１５と規制突起１７とを備えている。平板部１５は表面上にワイヤハーネス７を位置付ける。規制突起１７は平板部１５から凸である。規制突起１７には凹み２１が設けられている。凹み２１はワイヤハーネス７の長手方向に交差する方向に沿って互いに間隔をあけて設けられている。電線固定片９はワイヤハーネス７とともに外周にテープ２０が巻き付けられて該ワイヤハーネス７と固定される。平板部１５がワイヤハーネス７の外形に沿って変形する。【選択図】図４
2006197759.tif 000002
【特許請求の範囲】
【請求項１】
ワイヤハーネスとともに外周に巻き付け部材が巻き付けられて、前記ワイヤハーネスと固定されるワイヤハーネス固定部材において、
表面上に前記ワイヤハーネスが位置付けられる平板部と、
この平板部から凸に形成されて、前記巻き付け部材が前記ワイヤハーネスの長手方向に沿って移動して前記平板部から脱落することを規制する規制突起と、を備え、
前記規制突起に、前記ワイヤハーネスの長手方向に交差する方向に沿って、互いに間隔をあけて複数の凹みが設けられていることを特徴とするワイヤハーネス固定部材。
【請求項２】
前記凹みの内面の一部は、前記平板部の表面と面一に形成されていることを特徴とする請求項１記載のワイヤハーネス固定部材。
【請求項３】
前記ワイヤハーネスの長手方向に沿って延在したスリットが、前記平板部に前記ワイヤハーネスの長手方向に交差する方向に沿って、互いに間隔をあけて複数設けられていることを特徴とする請求項１又は請求項２記載のワイヤハーネス固定部材。
【請求項４】
前記スリットは、前記凹み内に開口していることを特徴とする請求項３記載のワイヤハーネス固定部材。
【請求項５】
電気部品が装着される箱本体と、
請求項１ないし請求項４のうちいずれか一項に記載のワイヤハーネス固定部材とを備えたことを特徴とする電気接続箱。
【発明の詳細な説明】
【技術分野】
【０００１】
本発明は、移動体としての自動車などに搭載されるワイヤハーネス固定部材及び該ワイヤハーネス固定部材を備えた電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱１００（図１０に一部を示す）と呼ぶ。
【０００５】
図１０に例示された電気接続箱１００は、外郭を形成する箱本体と、配線盤と、箱本体に取り付けられるカバー部材などを備えている。箱本体には、ヒューズやリレーなどの電気部品が装着される。また、箱本体には、ワイヤハーネスのコネクタなどが嵌合する。
【０００６】
配線盤は、箱本体内に収容されており、前述したヒューズやリレーなどの電気部品と、ワイヤハーネスのコネクタの端子とを予め定められたパターンにしたがって、互いに電気的に接続する。カバー部材は、箱本体に取り付けられると、前述したワイヤハーネスのコネクタなどを覆う。
【０００７】
また、前述した箱本体には、ワイヤハーネス固定部材としての電線固定片１０１が一体に設けられている。電線固定片１０１は、箱本体とカバー部材とが互いに取り付けられる際に、これらが互いに近づく方向に沿って、箱本体からカバー部材に向かって延在している。電線固定片１０１は、平板状に形成された平板部１０２と、この平板部１０２のカバー部材寄りの縁に設けられたリブ１０３とを一体に備えている。
【０００８】
平板部１０２は、表面上にワイヤハーネス１０４（図１１に示す）が位置付けられ、該ワイヤハーネス１０４とともに外周にテープなどの巻き付け部材１０５（図１１に示す）が巻き付けられる。リブ１０３は、平板部１０２の表面から凸に形成されて、前記巻き付け部材１０５がワイヤハーネス１０４の長手方向に沿って移動して、前記平板部１０２から脱落することを規制する。
【０００９】
前述した電線固定片１０１は、平板部１０２上にワイヤハーネス１０４を位置付け、該ワイヤハーネス１０４とともに外周にテープなどの巻き付け部材１０５が巻き付けられることで、該ワイヤハーネス１０４と固定される。
【発明の開示】
【発明が解決しようとする課題】
【００１０】
前述した従来のワイヤハーネス固定部材としての電線固定片１０１は、平板部１０２が平板状に形成されているので、該平板部１０２の外周にテープなどの巻き付け部材１０５が巻き付けられると、図１１に示すように、ワイヤハーネス１０４と平板部１０２との間に断面三角状の隙間１０６が生じてしまう。このため、従来のワイヤハーネス固定部材としての電線固定片１０１は、ワイヤハーネス１０４の保持力が弱く、該ワイヤハーネス１０４が平板部１０２上で移動する虞があった。最悪の場合には、ワイヤハーネス固定部材としての電線固定片１０１は、ワイヤハーネス１０４が平板部１０２から脱落してしまうことも考えられる。
【００１１】
また、ワイヤハーネス固定部材としての電線固定片１０１は、リブ１０３が平板部１０２の端から凸に形成されているので、前述した箱本体と一体に成形される際に、反ってしまうこともあった。電線固定片１０１は、反ってしまうと、前述した平板部１０２とワイヤハーネス１０４との間により隙間１０６が生じ易くなる。このため、電線固定片１０１は、ワイヤハーネス１０４の保持力がより弱くなってしまうことが考えられる。
【００１２】
したがって、本発明の目的は、ワイヤハーネスとの間の隙間を抑制して、該ワイヤハーネスの保持力を向上できるワイヤハーネス固定部材と該ワイヤハーネス固定部材を備えた電気接続箱を提供することにある。
【課題を解決するための手段】
【００１３】
前記課題を解決し目的を達成するために、請求項１に記載の本発明のワイヤハーネス固定部材は、ワイヤハーネスとともに外周に巻き付け部材が巻き付けられて、前記ワイヤハーネスと固定されるワイヤハーネス固定部材において、表面上に前記ワイヤハーネスが位置付けられる平板部と、この平板部から凸に形成されて、前記巻き付け部材が前記ワイヤハーネスの長手方向に沿って移動して前記平板部から脱落することを規制する規制突起と、を備え、前記規制突起に、前記ワイヤハーネスの長手方向に交差する方向に沿って、互いに間隔をあけて複数の凹みが設けられていることを特徴としている。
【００１４】
請求項２に記載の本発明のワイヤハーネス固定部材は、請求項１記載のワイヤハーネス固定部材において、前記凹みの内面の一部は、前記平板部の表面と面一に形成されていることを特徴としている。
【００１５】
請求項３に記載の本発明のワイヤハーネス固定部材は、請求項１又は請求項２記載のワイヤハーネス固定部材において、前記ワイヤハーネスの長手方向に沿って延在したスリットが、前記平板部に前記ワイヤハーネスの長手方向に交差する方向に沿って、互いに間隔をあけて複数設けられていることを特徴としている。
【００１６】
請求項４に記載の本発明のワイヤハーネス固定部材は、請求項３記載のワイヤハーネス固定部材において、前記スリットは、前記凹み内に開口していることを特徴としている。
【００１７】
請求項５に記載の本発明の電気接続箱は、電気部品が装着される箱本体と、請求項１ないし請求項４のうちいずれか一項に記載のワイヤハーネス固定部材とを備えたことを特徴としている。
【００１８】
請求項１に記載した本発明のワイヤハーネス固定部材によれば、規制突起にワイヤハーネスの長手方向に交差する方向に沿って、複数の凹みが並べられている。このように、規制突起が凹みによって分割された格好となっているので、成形される際に、平板部と規制突起とを合わせた厚肉となる部分を少なくでき、規制突起が平板部を引っ張りにくくなり、該平板部を反りにくくすることができる。
【００１９】
また、規制突起に凹みが設けられているので、巻き付け部材が巻かれると、該巻き付け部材により、ワイヤハーネスに密着するように変形し易くなっている。
【００２０】
請求項２に記載した本発明のワイヤハーネス固定部材によれば、凹みの内面の一部が平板部と面一に形成されているので、成形される際に平板部がより反りにくくなるとともに、巻き付け部材により平板部がワイヤハーネスに密着するようにより変形し易くなる。
【００２１】
請求項３に記載した本発明のワイヤハーネス固定部材によれば、平板部にスリットが設けられているので、巻き付け部材により平板部がワイヤハーネスに密着するようにより一層変形し易くなる。
【００２２】
請求項４に記載した本発明のワイヤハーネス固定部材によれば、スリットが凹み内に開口しているので、成形される際に平板部がより一層反りにくくなるとともに、巻き付け部材により平板部がワイヤハーネスに密着するようにより一層変形し易くなる。
【００２３】
請求項５に記載した本発明の電気接続箱によれば、ワイヤハーネス固定部材の規制突起に複数の凹みが設けられているので、平板部を、反りにくくすることができるとともに、巻き付け部材によりワイヤハーネスに密着するように変形し易くできる。
【発明の効果】
【００２４】
以上説明したように請求項１に記載の本発明は、平板部を反りにくくすることができるとともに、該平板部をワイヤハーネスに密着するように変形し易くできるので、ワイヤハーネスとともに巻き付け部材が巻き付けられると、平板部が変形して、該平板部とワイヤハーネスとの間に生じる隙間を小さくすることができる。したがって、平板部上でワイヤハーネスが移動しにくくなり、該ワイヤハーネスの保持力を向上することができ、該ワイヤハーネスが平板部から脱落することを防止できる。
【００２５】
請求項２に記載の本発明は、凹みの内面の一部が平板部と面一に形成されているので、成形される際に平板部がより反りにくくなるとともに、巻き付け部材により平板部がワイヤハーネスに密着するようにより変形し易くなる。
【００２６】
請求項３に記載の本発明は、平板部にスリットが設けられているので、巻き付け部材により平板部がワイヤハーネスに密着するようにより一層変形し易くなる。
【００２７】
請求項４に記載の本発明は、スリットが凹み内に開口しているので、成形される際に平板部がより一層反りにくくなるとともに、巻き付け部材により平板部がワイヤハーネスに密着するようにより一層変形し易くなる。
【００２８】
請求項５に記載の本発明は、前述したワイヤハーネス固定部材を備えているので、ワイヤハーネスとの間に生じる隙間を抑制して、ワイヤハーネスの保持力を向上することができる。
【発明を実施するための最良の形態】
【００２９】
以下、本発明の第１の実施形態にかかるワイヤハーネス固定部材及び該ワイヤハーネス固定部材を備えた電気接続箱を、図１ないし図４に基づいて説明する。本実施形態にかかる図１に示す電気接続箱１は、移動体としての自動車に搭載される。
【００３０】
電気接続箱１は、図１に示すように、箱本体２と、図示しない配線盤と、カバー部材としてのロアカバー３と、ワイヤハーネス固定部材としての電線固定片９とを備えている。箱本体２は、絶縁性の合成樹脂からなり、周知の射出成形により成形される。箱本体２は、複数の外壁４により、筒状（箱状）に形成されている。
【００３１】
また、箱本体２の図１の上面（表面に相当する）２ａには、リレー５及びヒューズ６などの電気部品が装着される装着部８が複数設けられている。
【００３２】
また、箱本体２の図１の下方に位置する図示しない下面には、前述した自動車に配索されるワイヤハーネス７（図１及び図２中などに二点鎖線で示す）のコネクタが嵌合する。ワイヤハーネス７は、複数の電線と、該電線の端末などに取り付けられたコネクタとを備えている。コネクタは、前述した自動車に搭載される各種の電子機器や、前述した箱本体２に嵌合する。このため、箱本体２の下面には、ワイヤハーネス７の端末が取り付けられる。箱本体２の外壁４には、ロアカバー３と固定用の係止部１１が複数設けられている。係止部１１は、箱本体２の前述した下面寄りの縁部に設けられている。
【００３３】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００３４】
配線盤は、箱本体２内に収容されると、バスバがワイヤハーネス７のコネクタと、装着部８に装着されたリレー５及びヒューズ６などの電気部品とを予め定められたパターンにしたがって、互いに電気的に接続する。
【００３５】
ロアカバー３は、絶縁性の合成樹脂などからなり、周知の射出成形により成形される。ロアカバー３は、互いに連なる複数の外壁１２を備えて、有底筒状に形成されている。ロアカバー３の外壁１２には、前述した係止部１１と係止する係止部１３が複数設けられている。ロアカバー３は、係止部１３が箱本体２の係止部１１に係止して、箱本体２の前述した下面を覆うように、箱本体２に取り付けられる。
【００３６】
箱本体２とロアカバー３とが互いに組み付けられる際には、これらの箱本体２とロアカバー３とは前述した上面２ａ及び下面に対し直交する矢印Ｋに沿って、互いに近づけられる。なお、矢印Ｋは、箱本体２とロアカバー３とが互いに近づく方向をなしている。
【００３７】
また、ロアカバー３には、一つの外壁１２から凸の一対のリブ１４が設けられている。リブ１４は、それぞれ、後述する矢印Ｋに沿って直線状に延びている。リブ１４は、互いに平行である。リブ１４は、互いの間に電線固定片９を位置付ける。
【００３８】
さらに、一対のリブ１４間には、切欠き１６が設けられている。切欠き１６は、リブ１４が設けられた外壁１２の箱本体２寄りの一部を切り欠いて、ロアカバー３の内外を連通している。切欠き１６は、外壁１２の箱本体２寄りの縁から外壁１２の矢印Ｋ方向の中央部とに亘って、設けられている。なお、図２には、前述した外壁１２の箱本体２寄りの縁を二点鎖線で示す。
【００３９】
電線固定片９は、帯板状に形成されており、箱本体２に一体に設けられている。電線固定片９は、図３に示すように、箱本体２のロアカバー３に取り付けられるとリブ１４が設けられた外壁１２と連なる外壁４のロアカバー３寄りの縁からロアカバー３に向かって直線状に延在した平板部１５と、規制突起１７とを一体に備えている。平板部１５は、平板状に形成されている。電線固定片９の平板部１５の長手方向は、前述した矢印Ｋと平行である。電線固定片９の平板部１５の表面と、箱本体２の外壁４の表面とは、略面一になっている。電線固定片９は、箱本体２とロアカバー３とが互いに組み付けられると、前述した平板部１５がリブ１４間を塞ぐ（覆う）位置に配されている。
【００４０】
平板部１５は、幅広部１８と、幅狭部１９と、を一体に備えている。幅広部１８は、箱本体２に連なっているとともに、幅が、前述した矢印Ｋに直交する方向のリブ１４間の間隔と略等しく形成されている。幅狭部１９は、幅広部１８の箱本体２から離れた側の縁に連なっている。幅狭部１９は、幅が、前述した矢印Ｋに直交する方向のリブ１４間の間隔より狭く形成されている。幅広部１８と幅狭部１９とは、面一に形成されている。
【００４１】
規制突起１７は、平板部１５の幅狭部１９の箱本体２から離れた側の縁に設けられている。規制突起１７は、前述した縁から箱本体２即ち電気接続箱１の外側に向かって凸に形成されている。規制突起１７は、矢印Ｋに直交（交差）する方向に沿って、直線状に延びている。規制突起１７には、複数の凹み２１が設けられている。
【００４２】
凹み２１は、矢印Ｋに直交（交差）する方向に沿って、互いに間隔をあけて設けられている。図示例では、凹み２１は、三つ設けられている。凹み２１は、規制突起１７の外表面から平板部１５の幅狭部１９に向かって凹に形成されている。凹み２１の内面は、平板部１５の表面と面一の底面（本明細書の一部に相当）２２と、該底面２２から立設した一対の側面２３とを備えている。このため、凹み２１の内面の一部は、平板部１５の表面と面一に形成されている。前述した規制突起１７は、凹み２１により複数に分割された格好となっている。
【００４３】
電線固定片９は、前述した平板部１５の箱本体２の内側に位置する表面上にワイヤハーネス７が重ねられ、該ワイヤハーネス７とともに幅狭部１９の外周にテープ２０が巻き付けられて、前述したワイヤハーネス７と固定される。このとき、ワイヤハーネス７の長手方向は、矢印Ｋと平行である。
【００４４】
このため、凹み２１は、ワイヤハーネス７の長手方向に交差する方向に沿って、互いに間隔をあけて設けられている。また、テープ２０は、規制突起１７より箱本体２寄りに位置している。このため、規制突起１７は、テープ２０がワイヤハーネス７の長手方向即ち矢印Ｋに沿って移動して、ロアカバー３側に平板部１５の幅狭部１９から脱落することを規制する。なお、テープ２０は、本明細書に記した巻き付け部材をなしている。
【００４５】
前述した電気接続箱１は、以下のように組み立てられる。まず、箱本体２内に配線盤を収容し、箱本体２の上面２ａに設けられた装着部８にヒューズ６やリレー５などの電気部品が装着される。そして、電気接続箱１は、箱本体２の下面にワイヤハーネス７のコネクタを嵌合させる。
【００４６】
ワイヤハーネス７を電線固定片９の平板部１５の表面上に重ね、幅狭部１９とワイヤハーネス７の外周にテープ２０を巻き、該テープ２０で電線固定片９にワイヤハーネス７を取り付ける。すると、規制突起１７に凹み２１が複数設けられているので、図４に示すように、電線固定片９の平板部１５はワイヤハーネス７に密着するように（の外形に沿って）変形する。
【００４７】
その後、図２に示すように、箱本体２とロアカバー３とを矢印Ｋに沿って、互いに間隔をあけて配置する。そして、箱本体２とロアカバー３とを互いに近づけて、電線固定片９を一対のリブ１４間に位置付けるとともに、ワイヤハーネス７を電線固定片９と外壁１２との間に位置付けて、係止部１１，１３同士を互いに係止する。こうして、図１に示すように、箱本体２とロアカバー３とが互いに組み付けられる。
【００４８】
こうして、前述した電気接続箱１は、組み立てられて、自動車に搭載される。そして、電気接続箱１は、自動車の電子機器と、ヒューズ６やリレー５などの電気部品などとを、予め定められたパターンにしたがって、互いに電気的に接続する。
【００４９】
本実施形態によれば、電線固定片９の規制突起１７にワイヤハーネス７の長手方向（矢印Ｋ）に交差する方向に沿って、複数の凹み２１が並べられている。このように、規制突起１７が凹み２１によって分割された格好となっているので、成形される際に、平板部１５と規制突起１７とを合わせた厚肉となる部分を少なくでき、規制突起１７が平板部１５を引っ張りにくくなり、該平板部１５を反りにくくすることができる。
【００５０】
また、規制突起１７に凹み２１が設けられているので、テープ２０が巻かれると、該テープ２０により、平板部１５がワイヤハーネス７に密着するように変形し易くなっている。
【００５１】
このように、平板部１５を反りにくくすることができるとともに、該平板部１５をワイヤハーネス７に密着するように変形し易くできるので、電線固定片９は、ワイヤハーネス７とともにテープ２０が巻き付けられると、平板部１５が変形して、該平板部１５とワイヤハーネス７との間に生じる隙間を小さくすることができる。したがって、電気接続箱１は、電線固定片９が平板部１５上でワイヤハーネス７を移動しにくくでき、該ワイヤハーネス７の保持力を向上することができ、該ワイヤハーネス７が平板部１５から脱落することを防止できる。
【００５２】
凹み２１の内面の一部が平板部１５の表面と面一に形成されているので、成形される際に平板部１５がより反りにくくなるとともに、テープ２０により平板部１５がワイヤハーネス７に密着するようにより変形し易くなる。
【００５３】
次に、本発明の第２の実施形態にかかるワイヤハーネス固定部材及び該ワイヤハーネス固定部材を備えた電気接続箱を、図５ないし図８に基づいて説明する。なお、前述した第１の実施形態と同一部分には、同一符号を付して説明を省略する。
【００５４】
本実施形態のワイヤハーネス固定部材としての電線固定片９には、図５ないし図８に示すように、複数のスリット２４が設けられている。スリット２４は、それぞれ、矢印Ｋ即ち平板部１５上に位置付けられるワイヤハーネス７の長手方向に沿って、直線状に延びている。スリット２４は、平板部１５を貫通している。スリット２４は、平板部１５の箱本体２から離れた側の縁から該平板部１５の矢印Ｋ方向の中央部に亘って設けられている。
【００５５】
複数のスリット２４は、矢印Ｋ即ち平板部１５上に位置付けられるワイヤハーネス７の長手方向に直交（交差）する方向に沿って、互いに間隔をあけて設けられている。図示例では、スリット２４は、三つ設けられている。それぞれのスリット２４は、凹み２１の内面のうちの底面２２に開口している。このため、スリット２４と凹み２１は、互いに連通している。なお、図示例では、スリット２４が、底面２２全体に開口しているため、底面２２が設けられていない。
【００５６】
本実施形態の電線固定片９は、テープ２０で電線固定片９にワイヤハーネス７を取り付けると、規制突起１７に凹み２１が複数設けられているとともに、平板部１５に凹み２１と連通したスリット２４が複数設けられているので、図８に示すように、平板部１５が、ワイヤハーネス７に密着するように（の外形に沿って）変形する。
【００５７】
本実施形態によれば、前述した第１の実施形態と同様に、平板部１５を反りにくくすることができるとともに、該平板部１５をワイヤハーネス７に密着するように変形し易くできるので、電線固定片９は、ワイヤハーネス７とともにテープ２０が巻き付けられると、平板部１５が変形して、該平板部１５とワイヤハーネス７との間に生じる隙間を小さくすることができる。したがって、電気接続箱１は、電線固定片９が平板部１５上でワイヤハーネス７を移動しにくくでき、該ワイヤハーネス７の保持力を向上することができ、該ワイヤハーネス７が平板部１５から脱落することを防止できる。
【００５８】
また、平板部１５にスリット２４が設けられているとともに、スリット２４が凹み２１内に開口しているので、成形される際に平板部１５がより一層反りにくくなるとともに、テープ２０により平板部１５がワイヤハーネス７に密着するようにより一層変形し易くなる。
【００５９】
前述した第１の実施形態では、凹み２１の内面のうち一部が、平板部１５の表面と面一に形成されている。しかしながら、本発明では、凹み２１の内面が、平板部１５の表面と面一でなくても良い。
【００６０】
また、第２の実施形態では、スリット２４を凹み２１内に開口させている。しかしながら、本発明では、スリット２４を凹み２１内に開口させなくても良い。即ち、スリット２４と凹み２１とを連通させなくても良い。
【００６１】
さらに、本発明では、巻き付け部材としてテープ２０の他に周知の結束バンドを用いても良い。
【００６２】
また、本発明の電線固定片９は、図９に示すハーネス用プロテクタ２５に一体に形成しても良い。なお、図９において、前述した第１及び第２の実施形態と同一部分には、同一符号を付して、説明を省略する。
【００６３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６４】
【図１】本発明の第１の実施形態に係る電気接続箱の斜視図である。
【図２】図１に示された電気接続箱の箱本体とロアカバーとを分解して示す斜視図である。
【図３】図１に示された電気接続箱の電線固定片を示す斜視図である。
【図４】図３に示された電線固定片とワイヤハーネスの外周にテープが巻き付けられた状態を模式的に示す説明図である。
【図５】本発明の第２の実施形態に係る電気接続箱の斜視図である。
【図６】図５に示された電気接続箱の箱本体とロアカバーとを分解して示す斜視図である。
【図７】図５に示された電気接続箱の電線固定片を示す斜視図である。
【図８】図７に示された電線固定片とワイヤハーネスの外周にテープが巻き付けられた状態を模式的に示す説明図である。
【図９】本発明の電線固定片の変形例を示す斜視図である。
【図１０】従来の電気接続箱の電線固定片を示す斜視図である。
【図１１】図１０に示された電線固定片とワイヤハーネスの外周にテープが巻き付けられた状態を模式的に示す説明図である。
【符号の説明】
【００６５】
１  電気接続箱
２  箱本体
５  リレー（電気部品）
６  ヒューズ（電気部品）
７  ワイヤハーネス
９  電線固定片（ワイヤハーネス固定部材）
１５  平板部
１７  規制突起
２０  テープ（巻き付け部材）
２１  凹み
２４  スリット
【図１】
2006197759.tif 000003
【図２】
2006197759.tif 000004
【図３】
2006197759.tif 000005
【図４】
2006197759.tif 000006
【図５】
2006197759.tif 000007
【図６】
2006197759.tif 000008
【図７】
2006197759.tif 000009
【図８】
2006197759.tif 000010
【図９】
2006197759.tif 000011
【図１０】
2006197759.tif 000012
【図１１】
2006197759.tif 000013